(57)【要約】【課題】アイコンの配置関係に応じて、会議におけるユーザの権限を決定する仕組みを提供すること【解決手段】電子会議に参加中のユーザに対して付与する権限とユーザアイコンの配置位置の情報が対応付けられた会議形式の情報を複数記憶し、ユーザアイコンの配置位置を取得し、当該ユーザアイコン配置位置を用いて配置されたユーザアイコンのユーザで開催する電子会議の会議形式を特定し、特定された会議形式とユーザアイコンの配置位置に基づいて、ユーザアイコンに対応するユーザに付与する権限を決定する【選択図】図５
2016066253.tif 000002
【特許請求の範囲】
【請求項１】
電子会議に参加可能なユーザのユーザアイコンを配置するクライアント端末と通信可能な情報処理装置であって、
電子会議に参加中のユーザに対して付与する権限とユーザアイコンの配置位置の情報が対応付けられた会議形式の情報を複数記憶する会議形式記憶手段と、
ユーザアイコンの配置位置を取得するユーザアイコン配置位置取得手段と、
前記ユーザアイコン配置位置を用いて、前記ユーザアイコンのユーザで開催する電子会議の会議形式を、前記会議形式記憶手段に記憶された会議形式から特定する会議形式特定手段と
前記会議形式特定手段で特定された会議形式と、前記ユーザアイコン配置位置取得手段で取得したユーザアイコンの配置位置に基づいて、前記配置位置にあるユーザアイコンに対応するユーザに付与する権限を決定するユーザ権限決定手段と
を備えることを特徴とする情報処理装置。
【請求項２】
前記会議形式の情報は、電子会議における議長権限を付与するユーザアイコンの配置位置である議長位置の情報を含み、
前記ユーザ権限決定手段は、前記議長位置に最も近い位置のユーザアイコンのユーザに対して、議長の権限を付与することを決定することを特徴とする請求項１に記載の情報処理装置。
【請求項３】
前記会議形式の情報は、電子会議における議長以外のユーザに付与する権限の情報を含み、
前記ユーザ権限決定手段は、当該前記ユーザ権限決定手段で議長権限を付与することを決定したユーザ以外のユーザに対して付与する権限を、前記会議形式特定手段で特定された会議形式の情報に基づいて決定することを特徴とする請求項１又は２に記載の情報処理装置。
【請求項４】
前記会議形式特定手段は、前記ユーザアイコン配置位置取得手段で取得されたユーザアイコンの配置位置から特定される多角形の形状と最も類似度が高い、前記会議形式記憶手段に記憶された会議形式のユーザアイコンの位置から形成される多角形の形状を特定することで、前記会議形式を特定することを特徴とする請求項１乃至３のいずれか１項に記載の情報処理装置。
【請求項５】
前記クライアント端末は、会議に用いる資料を示すアイコンである資料アイコンの配置を行うクライアント端末であって、
前記情報処理装置は、
前記資料アイコンの配置位置を取得する資料アイコン配置位置取得手段と、
前記資料アイコン配置位置取得手段で取得した配置位置と、前記会議形式特定手段で特定された会議形式における前記ユーザアイコンの配置位置に基づいて、前記資料アイコンの資料に係る権限をいずれのユーザに付するか決定する資料権限決定手段と、
を備えることを特徴とする請求項１乃至４のいずれか１項に記載の情報処理装置。
【請求項６】
電子会議に参加可能なユーザのユーザアイコンを配置するクライアント端末と通信可能な情報処理装置の制御方法であって、
電子会議に参加中のユーザに対して付与する権限とユーザアイコンの配置位置の情報が対応付けられた会議形式の情報を複数記憶する会議形式記憶工程と、
ユーザアイコンの配置位置を取得するユーザアイコン配置位置取得工程と、
前記ユーザアイコン配置位置を用いて、前記ユーザアイコンのユーザで開催する電子会議の会議形式を、前記会議形式記憶工程に記憶された会議形式から特定する会議形式特定工程と
前記会議形式特定工程で特定された会議形式と、前記ユーザアイコン配置位置取得工程で取得したユーザアイコンの配置位置に基づいて、前記配置位置にあるユーザアイコンに対応するユーザに付与する権限を決定するユーザ権限決定工程と
を含むことを特徴とする情報処理装置の制御方法。
【請求項７】
電子会議に参加可能なユーザのユーザアイコンを配置するクライアント端末と通信可能な情報処理装置で実行可能なプログラムであって、
前記情報処理装置を、
電子会議に参加中のユーザに対して付与する権限とユーザアイコンの配置位置の情報が対応付けられた会議形式の情報を複数記憶する会議形式記憶手段と、
ユーザアイコンの配置位置を取得するユーザアイコン配置位置取得手段と、
前記ユーザアイコン配置位置を用いて、前記ユーザアイコンのユーザで開催する電子会議の会議形式を、前記会議形式記憶手段に記憶された会議形式から特定する会議形式特定手段と
前記会議形式特定手段で特定された会議形式と、前記ユーザアイコン配置位置取得手段で取得したユーザアイコンの配置位置に基づいて、前記配置位置にあるユーザアイコンに対応するユーザに付与する権限を決定するユーザ権限決定手段として機能させることを特徴とする情報処理装置のプログラム。
【請求項８】
表示画面を表示する表示部を備えるクライアント端末と情報処理装置とを含む情報処理システムであって、
前記クライアント端末は、
ユーザからの操作に応じて電子会議に参加可能なユーザのユーザアイコンを表示画面上に配置する配置手段と、
前記配置手段で配置されたユーザアイコンの配置位置を前記情報処理装置に送信するユーザアイコン配置位置送信手段と、
を備え、
前記情報処理装置は、
電子会議に参加中のユーザに対して付与する権限とユーザアイコンの配置位置の情報が対応付けられた会議形式の情報を複数記憶する会議形式記憶手段と、
ユーザアイコンの配置位置を受信するユーザアイコン配置位置受信手段と、
前記ユーザアイコン配置位置受信手段で受信した前記ユーザアイコン配置位置を用いて、前記ユーザアイコンのユーザで開催する電子会議の会議形式を、前記会議形式記憶手段に記憶された会議形式から特定する会議形式特定手段と
前記会議形式特定手段で特定された会議形式と、前記ユーザアイコン配置位置受信手段で受信したユーザアイコンの配置位置に基づいて、前記配置位置にあるユーザアイコンに対応するユーザに付与する権限を決定するユーザ権限決定手段と
を備えることを特徴とする情報処理装置システム。
【発明の詳細な説明】
【技術分野】
【０００１】
情報処理装置、情報処理システム、その制御方法及びプログラムに関する。
【背景技術】
【０００２】
近年、ウェブ会議システムが一般に普及し、普及に伴い利用者が増加している。会議には、例えば少人数で机を囲うディスカッション形式や大人数で講師の話を傍聴する講義形式など様々な種類があり、ウェブ会議においては会議の形式や進行に応じて会議参加者の権限設定・変更や資料の共有等が行われている。
【０００３】
例えば特許文献１には、会議中に、会議参加者を示す参加者オブジェクト（ユーザアイコン）を「発言設定」ボタン上に移動させることで参加者に対する発言権の与奪を行うこと、及び、資料オブジェクト（資料アイコン）を所定のウインドウ領域に移動させることで当該ウインドウに対応した参加者に対して資料を提示することが記載されている。
【先行技術文献】
【特許文献】
【０００４】
【特許文献１】特開平９−２００３５０号公報
【発明の概要】
【発明が解決しようとする課題】
【０００５】
しかしながら特許文献１に記載の技術においては、参加者オブジェクトは単純に横並びに配置されており、各参加者に付与された権限の確認・与奪を行うためには、各参加者オブジェクトの表示状態を１つ１つ確認し、１つ１つ「発言設定」ボタン上に移動させなければならず、ユーザにとって煩わしいという問題がある。
【０００６】
また、特許文献１において資料オブジェクトを移動させる先のウインドウには複数種類あり、ウインドウごとに資料が共有されるユーザが異なる。これらのウインドウには名称こそ付与されているものの、ユーザは一見して、資料オブジェクトをどのウインドウ上に移動させれば所望の共有方法で他参加者と資料を共有することができるのか判断し辛いことが考えられる。
【０００７】
本発明は、アイコンの配置関係に応じて、会議におけるユーザの権限を決定する仕組みを提供することを第１の目的とする。
【０００８】
また、アイコンの配置関係に応じて、会議における資料の共有方法を決定する仕組みを提供することを第２の目的とする。
【課題を解決するための手段】
【０００９】
本発明の情報処理装置は、電子会議に参加可能なユーザのユーザアイコンを配置するクライアント端末と通信可能な情報処理装置であって、電子会議に参加中のユーザに対して付与する権限とユーザアイコンの配置位置の情報が対応付けられた会議形式の情報を複数記憶する会議形式記憶手段と、ユーザアイコンの配置位置を取得するユーザアイコン配置位置取得手段と、前記ユーザアイコン配置位置を用いて、前記ユーザアイコンのユーザで開催する電子会議の会議形式を、前記会議形式記憶手段に記憶された会議形式から特定する会議形式特定手段と前記会議形式特定手段で特定された会議形式と、前記ユーザアイコン配置位置取得手段で取得したユーザアイコンの配置位置に基づいて、前記配置位置にあるユーザアイコンに対応するユーザに付与する権限を決定するユーザ権限決定手段とを備えることを特徴とする。
【００１０】
また、前記クライアント端末は、会議に用いる資料を示すアイコンである資料アイコンの配置を行うクライアント端末であって、前記情報処理装置は、前記資料アイコンの配置位置を取得する資料アイコン配置位置取得手段と、前記資料アイコン配置位置受信手段で受信した配置位置と、前記会議形式特定手段で特定された会議形式における前記ユーザアイコンの配置位置に基づいて、前記資料アイコンの資料に係る権限をいずれのユーザに付するか決定する資料権限決定手段と、を備えることを特徴とする。
【発明の効果】
【００１１】
本発明によれば、アイコンの配置関係に応じて、会議におけるユーザの権限を決定する仕組みを提供するという第１の目的を達成することができる。
【００１２】
また、本発明によれば、アイコンの配置関係に応じて、会議における資料の共有方法を決定する仕組みを提供するという第２の目的を達成することができる。
【図面の簡単な説明】
【００１３】
【図１】本発明の実施形態における、情報処理システムの構成の一例を示す図である。
【図２】本発明の実施形態における、各種装置のハードウェア構成の一例を示す図である。
【図３】本発明の実施形態における、各種装置の機能構成の一例を示す図である。
【図４】本発明の実施形態における、ユーザアイコンの配置による権限決定の概要を示すフローチャートである。
【図５】本発明の実施形態における、ユーザアイコンの配置による権限決定の詳細を示すフローチャートである。
【図６】本発明の実施形態における、資料アイコンの配置による資料共有設定の詳細を示すフローチャートである。
【図７】本発明の実施形態における、各種データテーブルの構成の一例を示す図である。
【図８】本発明の実施形態における、アイコン配置画面の構成の一例を示す図である。
【図９】本発明の実施形態における、アイコンの配置の様子を示す図である。
【図１０】本発明の実施形態における、アイコンの配置の様子を示す図である。
【図１１】本発明の実施形態における、会議パターンを示すアイコン配置による形状の一例を示す図である。
【図１２】本発明の実施形態における、会議招集画面の構成の一例を示す図である。
【図１３】本発明の実施形態における、会議画面の構成の一例を示す図である。
【図１４】本発明の実施形態における、アイコン配置画面の資料共有のための領域の一例を示す図である。
【図１５】本発明の実施形態における、アイコン配置画面の構成の一例を示す図である。
【発明を実施するための形態】
【００１４】
以下、図面を参照して、本発明の実施形態を詳細に説明する。図１は、本発明の実施形態における、情報処理システムの構成の一例を示す図である。
【００１５】
図１に示す通り、本発明の情報処理システムは、サーバ２００と、クライアント端末１００（クライアント端末１００Ａ、クライアント端末１００Ｂ、クライアント端末１００Ｃ／以下、総称としてクライアント端末１００と記載）とが、ネットワーク１０１を介して通信可能に接続され、構成されている。
【００１６】
サーバ２００は、クライアント端末１００を用いたウェブ会議（電子会議）を実行するための各種機能を備えている。例えば、ウェブ会議用のルームの作成・記憶処理を行う。また、クライアント端末１００の識別情報と各クライアント端末から受信する。
【００１７】
また、例えば、会議参加者であるユーザを撮像した画像データであるカメラ画像（会議画像／映像）、及び、各カメラ画像とユーザの識別情報（図７のユーザＩＤ７０１）、当該ユーザＩＤとカメラ画像の送信元のクライアント端末の識別情報（図７のクライアントＩＤ７０２／例えばＩＰアドレス等）を対応付けて記憶し（図７のユーザ情報７００）、各画像データを会議参加中のユーザの各クライアント端末へ送信する処理を行う。
【００１８】
本実施形態において、クライアント端末１００はカメラ機能及びタッチパネル機能（操作部）を備える端末であるものとする。
【００１９】
クライアント端末１００には、サーバ２００と通信してウェブ会議を行うためのウェブ会議アプリケーション（クライアントアプリケーション）が記憶されており、ユーザからの操作に応じて（例えば認証情報の入力・送信指示に応じて）サーバ２００へログインする機能を有する。
【００２０】
また、当該ログインが行われることで表示される不図示のメニュー画面において、不図示の「会議作成」ボタンが押下された場合に、図８に示すような、会議の形態（形式）、ユーザの権限、会議用資料の共有の設定を行うための、アイコン配置画面８００を表示する。当該アイコン配置画面８００については、図８の説明で後述する。
【００２１】
また、クライアント端末１００は、当該クライアント端末１００のカメラが撮像して取得した画像データを、逐次、サーバ２００に送信する。サーバ２００がこれを受信して、同一のルームに入室中（会議に参加中）の他のクライアント端末１００に画像データを送信する機能を備える。
【００２２】
当該画像データを受信したクライアント端末は、図１３に示すような会議画面１３００を表示する。会議画面１３００には、サーバ２００から受信した各画像データが表示される。会議画面１３００については図１３の説明で後述する。以上が図１の説明である。
【００２３】
次に図２を参照して、本発明の実施形態における、各種装置のハードウェア構成の一例について説明する。図２は、本発明の実施形態における、各種装置のハードウェア構成の一例を示す図である。
【００２４】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２５】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００２６】
また、２０５は入力コントローラで、入力装置２０９であるキーボード（ＫＢ）や不図示のマウス等のポインティングデバイスからの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００２７】
また、本発明の実施形態において、クライアント端末１００のＣＲＴ２１０は、タッチパネル機能を有するものとする。ＣＲＴ２１０がタッチパネル機能を有する場合、当該ＣＲＴ２１０は入力装置としても機能し、入力コントローラにタッチパネル機能で検出した（ディスプレイで受け付けた）タッチ操作の情報を入力情報として伝達するものとする。つまり、入力コントローラ２０５は、ＣＲＴ２１０からの入力制御を行う。
【００２８】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２９】
２０８は通信Ｉ／Ｆコントローラで、ネットワーク（例えば、図１に示したネットワーク１０１）を介して外部機器と接続・通信するものであり、ネットワークでの通信制御処理を実行する。例えば、ＴＣＰ／ＩＰを用いた通信等が可能である。
【００３０】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００３１】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。以上が図２の説明である。
【００３２】
次に図３を参照して、本発明の実施形態における、各種装置の機能構成の一例について説明する。図３は、本発明の実施形態における、各種装置の機能構成の一例を示す図である。
【００３３】
アイコン配置操作受付部３１１は、ユーザから会議の形態、会議の参加者を決定するためのユーザアイコンの配置指示を受け付ける。また、会議における資料の共有方法を決定するために資料アイコンの配置指示を受け付ける。ここでいうユーザアイコンとは図８の８０３であり、資料アイコンとは図８の８０４である。
【００３４】
ここで図８を参照して、本発明の実施形態における、アイコン配置画面の構成の一例について説明する。図８は、本発明の実施形態における、アイコン配置画面の構成の一例を示す図である。
【００３５】
アイコン配置画面８００は、アイコン表示領域８０１とアイコン配置領域８０２との２つの領域から構成される。アイコン表示領域８０１には、サーバ２００に記憶済みのユーザ（ユーザＩＤ）に対応するユーザアイコン８０３と、サーバ２００の外部メモリの所定の領域（会議用の資料ファイルの記憶領域）に予め記憶されている資料を示す資料アイコン８０４が表示される。ユーザアイコンとユーザＩＤを対応付けたテーブル、資料の実態のデータと資料アイコンを対応付けたテーブルは予めサーバ２００の外部メモリに記憶されているものとする。
【００３６】
サーバ２００がクライアント端末からユーザのログインを受け付け、クライアント端末１００が不図示の「会議作成」ボタンの押下を受け付けた場合、アイコン配置画面８００の表示を行い、クライアント端末１００がログインユーザのユーザＩＤに対応付けられた記憶領域内の資料をサーバ２００に要求して、サーバからの応答に応じて当該資料アイコンを表示するものとする。また、サーバ２００の外部メモリに記憶されているユーザのユーザアイコンをサーバ２００より取得してアイコン表示領域８０１に配置して表示する。
【００３７】
アイコン表示領域８０１内に表示されているアイコンを、アイコン配置領域８０２にドラッグ＆ドロップして配置することで会議のパターンが特定され、会議のパターンに応じた権限が会議に参加する各ユーザに付与される。
【００３８】
本発明の実施形態における会議パターン（会議形式）とは、例えば図１１に示す３つのパターンである。
【００３９】
ここでは、アイコン配置領域８０２に、図１１に示す座標の基準値（Ｘ，Ｙの座標値）が設定されているものとする。
【００４０】
議長ユーザには、常に発言権が付与されており、会議に用いる全ての資料の閲覧・編集権限が付与されるものとする。また、議長ユーザは、会議に参加中の他のユーザ（一般ユーザ）に発言権や資料の閲覧・編集権限を与えたり、奪ったりすることができる。議長による権限の付与・剥奪の技術については公知のため、個々では説明を割愛する。
【００４１】
パターン１＝プレゼンテーション形式であり、所定のユーザが議長となって資料操作をし、会議の議事進行を務める。議長以外のユーザには発言権が付与され、資料の閲覧権限が付与される。
【００４２】
パターン２＝ディスカッション形式であり、議長権限を持つユーザは存在しない。全てのユーザに発言権、資料の閲覧・編集権限が付与される。
【００４３】
パターン３＝講義形式であり、所定のユーザが議長（講師）となって資料操作をし、会議の議事進行を務める。議長以外のユーザは傍聴者であり、資料の閲覧権限は付与されるが、発言権は付与されない。
【００４４】
各会議パターンは、それぞれ各会議パターンを示す形状と対応付けて記憶されている。例えばパターン１の場合は五角形、パターン２の場合は六角形、パターン３の場合は三角形である。当該形状は、各ユーザアイコンを繋げた場合に最も外側に引かれる線から形成される（図７の会議パターン７１０／会議形式記憶手段）。
【００４５】
図７の会議パターン７１０において、パターンＩＤ７１１は会議パターンの識別情報である。形状７１２は、各会議パターンに対応する形状の情報である。議長位置７１３は、議長権限を付与するユーザを特定するための位置情報である。
【００４６】
パターン１においては、アイコン配置領域８０２において座標：Ｘ，Ｙ＝５，１の位置に最も近い位置に配置されたユーザアイコンのユーザに会議の議長権限を付与する。パターン３においては、アイコン配置領域８０２において座標：Ｘ，Ｙ＝２，２に最も近い位置に配置されたユーザアイコンのユーザに会議の議長権限を付与する。
【００４７】
一般ユーザ権限７１４は、議長以外のユーザ（議長以外のアイコン配置領域に配置されたユーザアイコンのユーザ）に付与する権限を示す。
【００４８】
サーバ２００のＣＰＵ２０１は、ユーザアイコンの配置（各ユーザアイコンを繋げた場合に最も外側に引かれる線）に基づいて、当該ユーザアイコンの配置がいずれの会議パターンに類似しいているか判定し（各ユーザアイコンを繋げた場合に最も外側に引かれる線から形成される形状が、３つの会議パターンの形状のうち、いずれの形状に類似しているか判定し）、類似している会議パターンを会議に設定する。
【００４９】
つまり、アイコン配置領域８０２に配置されたユーザアイコンのユーザ間で開かれる会議の形式が、ユーザアイコンの配置状態（配置関係）に応じて決定される（どのユーザが何の権限を有するかが決定される）。
【００５０】
所定の形状を検索キーとして、当該所定の形状に類似する画像を検索する技術（どの画像が最も類似する画像か判定する技術）は既存の技術であるため、ここでは説明を割愛する（例えば、特開平７−２１１９８号公報に記載されている技術を用いる）。
【００５１】
当該会議パターンごとのユーザアイコンの配置位置の情報（会議パターンごとの形状の情報）は、予めサーバ２００の外部メモリに記憶されているものとする。
【００５２】
また、資料アイコン８０４をアイコン配置領域８０２に配置することで、当該資料アイコン８０４の配置位置に応じて所定のユーザに対して当該資料アイコンの示す資料の閲覧・編集権限を付与することができる。当該資料の閲覧・編集権限の付与処理については図５の説明で詳述する。
【００５３】
図８の説明に戻る。会議パターン表示部８０５は、会議パターンごとのユーザアイコンの配置の例を表示する表示部である。ユーザは当該会議パターン表示部８０５の画像を見ながら、ユーザアイコン８０３をアイコン配置領域８０２に配置していく。
【００５４】
例えば図９は、本発明の実施形態における、アイコンの配置の様子を示す図である。アイコン配置画面９００、及びアイコン配置画面９１０に示すように、アイコンを配置していく。そして、アイコン配置画面９２０における形状９２１のようにアイコン同士を線でつないでできる形状を基に、各会議パターンとの類似度をサーバ２００にて判定し、最も類似すると判定された会議パターンを、クライアント端末１００が会議パターン表示部９２２に表示する。「参加依頼」ボタンは、クライアント端末１００にが、アイコン配置領域にユーザアイコンが２つ以上配置された場合に表示する、アイコン配置領域に配置されたユーザアイコンのユーザを参加者とした会議の、会議参加者の招集要求をサーバ２００に送信するための画面である。つまり、アイコン配置領域に配置されたユーザアイコンのユーザに会議への参加を促すためのボタンである。以上が図８及び図９の説明である。
【００５５】
図３の説明に戻る。アイコン配置位置特定部３１２は、アイコン配置領域８０２における各ユーザアイコン・資料アイコンの配置位置を特定する特定部である。ユーザアイコン配置位置送信部３１３は、サーバ２００に、アイコン配置領域８０２における各ユーザアイコンの配置位置を送信する送信部である。
【００５６】
資料アイコン配置位置送信部３１４は、サーバ２００に、アイコン配置領域８０２における各資料アイコンの配置位置を送信する送信部である。会議開始指示部３１５は、ユーザからの操作指示に応じて、サーバ２００に会議の開始指示を行う指示部である。
【００５７】
撮像画像送受信部３１６は、クライアント端末１００に接続された撮像装置から取得した撮像画像（例えば、ＷＥＢ会議に用いるクライアント端末１００Ａを利用中のユーザＡの顔画像）をサーバ２００に送信し、サーバ２００より、会議に参加中の他のクライアント端末１００（クライアント端末１００Ｂ、クライアント端末１００Ｃ）で撮像された画像を受信する送受信部である。
【００５８】
撮像画像表示部３１７は、図１３に示すような会議画面１３００において、撮像画像送受信部３１６で送受信している画像を、表示画面に表示する表示部である。会議画面１３００については図１３の説明で後述する。
【００５９】
ユーザアイコン配置位置受信部３２１は、クライアント端末１００よりアイコン配置領域８０２における各ユーザアイコンの配置位置を受信する受信部である。資料アイコン配置位置受信部３２２は、クライアント端末１００よりアイコン配置領域８０２における各資料アイコンの配置位置を受信する受信部である。
【００６０】
ユーザ権限決定部３２３は、ユーザアイコン配置位置受信部３２１で受信したアイコンの配置位置に基づいて、会議に参加する各ユーザ（アイコン配置領域に配置されているユーザアイコンの示すユーザ）の会議中の権限を決定する決定部である。
【００６１】
資料共有ユーザ決定部３２４は、ユーザアイコン配置位置受信部３２１で受信したアイコンの配置位置、資料アイコン配置位置受信部３２２で受信したアイコンの配置位置に基づいて、会議に参加する各ユーザ（アイコン配置領域に配置されているユーザアイコンの示すユーザ）の会議中の資料の閲覧・編集権限（共有設定）を決定する決定部である。
【００６２】
会議開始指示受付部３２５は、クライアント端末１００より会議の開始指示を受け付ける受付部である。撮像画像送受信部３２６は、会議に参加中の各クライアント端末１００より撮像画像を受信し、会議に参加中の他のクライアント端末に送信する送受信部である。以上が図３の説明である。
【００６３】
次に図４を参照して、本発明の実施形態における、ユーザアイコンの配置による権限決定の概要について説明する。図４は、本発明の実施形態における、ユーザアイコンの配置による権限決定の概要を示すフローチャートである。
【００６４】
クライアント端末１００のＣＰＵ２０１は、不図示のホーム画面において、クライアント端末１００に記憶された会議アプリの起動指示を受け付ける。そして、当該起動指示応じて会議アプリを起動し（ステップＳ４０１）、表示される不図示のメニュー画面において、「会議作成」ボタンの押下を受け付けると、図８に示すアイコン配置画面８００（参加者選択画面）を表示画面に表示する（ステップＳ４０２）。
【００６５】
クライアント端末１００のＣＰＵ２０１は、当該アイコン配置画面８００のアイコン配置領域８０２において配置されたアイコンの配置位置に応じて会議パターンの決定する決定処理を行う（ステップＳ４０３）。つまり、当該会議パターンに応じて、ユーザの権限を特定する処理を行う。
【００６６】
ここで図５を参照して、本発明の実施形態における、ユーザアイコンの配置による権限決定の詳細について説明する。図５は、本発明の実施形態における、ユーザアイコンの配置による権限決定の詳細を示すフローチャートである。
【００６７】
クライアント端末１００のＣＰＵ２０１は、ユーザからの指示を受け付け（ステップＳ５０１）、当該指示がユーザアイコンのドラッグ指示（選択指示）か判定する（ステップＳ５０２）。
【００６８】
ユーザアイコンのドラッグ指示である場合（ステップＳ５０２でＹＥＳ）、処理をステップＳ５０３に移行する。ユーザアイコンのドラッグ指示でない場合（ステップＳ５０２でＮＯ）、処理をステップＳ５１４に移行する。
【００６９】
ステップＳ５０３において、クライアント端末１００のＣＰＵ２０１は、アイコン配置領域におけるドラッグ中のユーザアイコンの位置を特定し（ステップＳ５０３）、当該ユーザアイコンの位置をサーバ２００に送信する（ステップＳ５０４）。
【００７０】
サーバ２００のＣＰＵ２０１は当該ユーザアイコンの位置の情報（位置情報）を受信すると（ステップＳ５０５／ユーザアイコン配置位置取得手段）、新規の会議ＩＤを生成し、当該ユーザアイコンの位置を対応付けて外部メモリに記憶する（ステップＳ５０６）。例えば、図７の設定中パターン７２０と、参加者情報７３０を生成して会議ＩＤとユーザアイコンの位置情報を挿入して外部メモリ２１１に記憶する。
【００７１】
設定中パターン７２０において、会議ＩＤ７２１は会議を一意に識別する識別情報である。パターンＩＤ７２２は、会議ＩＤ７２１の示す会議に設定中（適用中）の会議パターンの識別情報である。
【００７２】
参加者情報７３０において、会議ＩＤ７３１は会議の識別情報である。ユーザＩＤ７３２は、当該会議ＩＤ７３１の示す会議の参加者であるユーザの識別情報である。ユーザ位置７３３は、アイコン配置領域における各ユーザのユーザアイコンの配置位置を示す。ユーザ位置７３３の値は、ユーザアイコンがドロップされるまで、ユーザアイコンのドラッグ操作（ユーザアイコンをドラッグしているマウスカーソルの移動）に応じて変動する。
【００７３】
サーバ２００のＣＰＵ２０１は、ユーザ位置７３３に基づいて、パターンＩＤ７２２にいずれのパターンＩＤを挿入するか（会議の形式（パターン）をいずれの会議パターンとするか）決定（特定）する。
【００７４】
権限７３４は、各ユーザの配置位置（ユーザ位置７３３）と、設定中の会議パターン（パターンＩＤ７２２）に基づいて特定される、各ユーザの権限を示す。
【００７５】
クライアント端末１００のＣＰＵ２０１は、ステップＳ５０７において、図７のユーザ位置７３３から各ユーザアイコンの位置情報を特定して、各ユーザアイコンを結ぶ線のうち最も外側の線から形成される形状に最も近い会議パターンの形状を、３つの会議パターンに対応する形状と比較して特定する。つまり、会議に適用する会議パターンを特定する（ステップＳ５０７／会議形式特定手段）。
【００７６】
クライアント端末１００のＣＰＵ２０１は、ステップＳ５０７で特定した会議パターンのパターンＩＤを、パターンＩＤ７２２に記憶する（ステップＳ５０８）。
【００７７】
例えば図９のアイコン配置画面９２０に示すように、既にユーザＡ、Ｃのユーザアイコンが配置済み（サーバ２００にユーザＡ、Ｃのユーザアイコンの位置が記憶済み）の状態で、ユーザＥのユーザアイコンがアイコン配置画面９２０に示す位置にドラッグされた場合、クライアント端末１００のＣＰＵ２０１はサーバ２００に当該ドラッグ中のユーザアイコンの位置を送信する。サーバ２００のＣＰＵ２０１は当該ユーザＥのユーザアイコンの位置に基づいて、形状９２１を特定し、当該特定した形状に類似する形状を持つ会議パターンを特定して、会議パターン表示部９２２に表示する処理を行う。
【００７８】
クライアント端末１００のＣＰＵ２０１は、当該パターンＩＤ７２２の示す会議パターン７１０に従って、議長権限を付与するユーザ（議長ユーザ）、議長ユーザ以外の一般ユーザ、及び一般ユーザに付与する権限を特定し（ステップＳ５１７）、各ユーザの権限７３４に挿入する。
【００７９】
議長ユーザは、議長位置７１３に最も近い位置に配置されているユーザアイコンのユーザとする。クライアント端末１００のＣＰＵ２０１は、当該会議パターンに応じた画面表示を行うようクライアント端末１００に指示する（ステップＳ５０９）。
【００８０】
具体的には図９の会議パターン表示部９２２に示すように、ユーザがユーザアイコンを選択（ドラッグ）して、アイコン配置領域の上に移動させることで、もし今ユーザアイコンがある位置にユーザアイコンをドロップ（配置）したら、どの会議パターンが設定されるかを識別表示するよう指示を出す。
【００８１】
クライアント端末１００のＣＰＵ２０１は当該指示を受信し（ステップＳ５１０）、図９に示すアイコン配置画面９２０を生成して表示画面に表示する（ステップＳ５１１）。
【００８２】
クライアント端末１００のＣＰＵ２０１は、ユーザアイコンのドロップ指示（配置指示）を受け付けたか判定し（ステップＳ５１２）、ドロップ指示を受け付けていない場合は（ステップＳ５１２でＮＯ）処理をステップＳ５０３に戻し、ドロップ指示を受け付けた場合は（ステップＳ５１２でＹＥＳ）、ユーザアイコンをドロップ指示された位置に配置する（ステップＳ５１３）。ユーザ位置７３３にはドロップされた時点でのユーザアイコンの位置が記憶され、保持されることになる。そして処理をステップＳ５０１の前に戻す。
【００８３】
クライアント端末１００のＣＰＵ２０１は、ステップＳ５１４において、ステップＳ５０１で受け付けた指示が資料アイコンのドラッグ指示（選択指示）か判定する（ステップＳ５１４）。資料アイコンのドラッグ指示である場合は（ステップＳ５１４でＹＥＳ）、処理をステップＳ５１５に移行する。資料アイコンのドラッグ指示でない場合は（ステップＳ５１４でＮＯ）、処理をステップＳ５１６に移行する。
【００８４】
ステップＳ５１６において、クライアント端末１００のＣＰＵ２０１は、ステップＳ５０１で受け付けた指示が参加者の招集指示か判定する（ステップＳ５１６）。例えば、図９の「参加依頼」ボタン９２３の押下指示を受け付けたか判定する。
【００８５】
招集指示でない場合は（ステップＳ５１６でＮＯ）、処理をステップＳ５０１の前に戻す。招集指示である場合は（ステップＳ５１６でＹＥＳ）、処理を図４のステップＳ４０４に移行する。
【００８６】
ステップＳ５１５において、クライアント端末１００のＣＰＵ２０１は、ユーザアイコンと資料アイコンの位置関係に応じて、資料をどのユーザに閲覧・編集させるかを設定する設定処理（資料共有設定処理）を行う（ステップＳ５１５）。資料共有設定処理の詳細は図６の説明で後述する。以上が図５の説明である。
【００８７】
以上、本願発明の図５の処理によれば、アイコンの配置関係に応じて、会議におけるユーザの権限を決定する仕組みを提供するという第１の目的を達成することができる。
【００８８】
次に図６を参照して、本発明の実施形態における、資料アイコンの配置による資料共有設定の詳細について説明する。図６は、本発明の実施形態における、資料アイコンの配置による資料共有設定の詳細を示すフローチャートである。
【００８９】
クライアント端末１００のＣＰＵ２０１は、アイコン配置領域８０２における資料アイコンの位置を特定し（ステップＳ６０１）、当該資料アイコンの位置情報をサーバ２００に送信する（ステップＳ６０２）。例えば、図１０の場合、アイコン配置画面１０１０におけるドラッグ中の資料アイコン１０１１の位置を送信する。
【００９０】
サーバ２００のＣＰＵ２０１は、当該資料アイコンの位置情報を受信して記憶する（ステップＳ６０３／資料アイコン配置位置取得手段）。例えば、図７の会議資料情報７４０を外部メモリ２１１上に生成して、会議ＩＤ７４１、資料位置７４２、資料データ７４３の値を挿入する。
【００９１】
会議資料情報７４０において、会議ＩＤ７４１は会議の識別情報である。資料位置７４２は、アイコン配置領域における資料アイコンの位置情報である。資料データ７４３は、資料アイコンに対応する資料のデータ（ファイル）を示す。資料位置７４２は、資料アイコンがドロップされるまで、ユーザのドラッグ操作（ドラッグしているマウスカーソルの移動）に応じて変動する。
【００９２】
サーバ２００のＣＰＵ２０１は、資料位置７４２とユーザ位置７３３の位置を参照して、資料アイコンがユーザアイコン上にあるか判定する（ステップＳ６０４）。ユーザアイコン上にある場合は（ステップＳ６０４でＹＥＳ／例えば図１０の資料アイコン１０１２）処理をステップＳ６０５に移行する。ユーザアイコン上にない場合は（ステップＳ６０４でＮＯ）処理をステップＳ６０９に移行する。
【００９３】
ステップＳ６０５において、会議に設定中の会議パターン（パターンＩＤ７２２）を参照して、設定中の会議パターンがパターン３（講義形式）か判定する（ステップＳ６０５）。パターン３（講義形式）でない場合（ステップＳ６０５でＮＯ）、資料アイコンの下にあるユーザアイコンのユーザを、ドラッグ中の資料アイコンに対応する資料の閲覧・編集権限を付与する対象のユーザとして特定する（ステップＳ６０８／いずれのユーザにいずれの権限を付与するか決定する／資料権限決定手段の１つ）。
【００９４】
例えば「共有．ｘｌｓｘ」の資料アイコン１０１１下にユーザＡのユーザアイコンがある場合、会議資料情報７４０の閲覧可能ユーザ７４４、編集可能ユーザ７４５に、ユーザＡのユーザＩＤを挿入して記憶する処理を行う。そして処理をステップＳ６１８に移行する。
【００９５】
パターン３（講義形式）である場合（ステップＳ６０５でＹＥＳ）、資料アイコン下のユーザアイコンのユーザが議長ユーザか否かを、図７の権限７３４を参照して判定する（ステップＳ６０６）。資料アイコン下のユーザアイコンのユーザが議長ユーザでない場合（ステップＳ６０６でＮＯ）、処理をステップＳ６０１の前に戻す。資料アイコン下のユーザアイコンのユーザが議長ユーザである場合（ステップＳ６０６でＹＥＳ）、議長ユーザ以外の一般ユーザ（パターン３では傍聴権限を有する一般ユーザ（傍聴ユーザ））を当該資料アイコンの示す資料の閲覧権限を付与するユーザとして特定して（ステップＳ６０７／いずれのユーザにいずれの権限を付与するか決定する／資料権限決定手段の１つ）、処理をステップＳ６０８に移行する。
【００９６】
例えば「発表．ｐｄｆ」の資料アイコン１０１２下にユーザＪのユーザアイコンがある場合、会議資料情報７４０の閲覧可能ユーザ７４４に全ユーザを示すａｌｌの値を挿入し、編集可能ユーザ７４５にユーザＪのユーザＩＤを挿入して記憶する処理を行う。
【００９７】
ステップＳ６０９において、サーバ２００のＣＰＵ２０１は、会議に設定中の会議パターン（パターンＩＤ７２２）を参照して、設定中の会議パターンがパターン１（プレゼンテーション形式）か判定する（ステップＳ６０９）。パターン１（プレゼンテーション形式）でない場合（ステップＳ６０９でＮＯ）、処理をステップＳ６１０に移行する。パターン１（プレゼンテーション形式）である場合（ステップＳ６０９でＹＥＳ）、処理をステップＳ６１５に移行する。
【００９８】
ステップＳ６１５において、サーバ２００のＣＰＵ２０１は、資料アイコンの位置から最も近いユーザアイコンを特定する（ステップＳ６１５）。そして、当該資料アイコンが当該ユーザアイコンの横に存在する領域Ｘ（所定の領域Ｘ）にあるか判定する（ステップＳ６１６）。ここでいう領域Ｘとは、図１４における１４０３〜１４０８の領域のことである。当該所定の領域Ｘを示すＸ，Ｙ座標（領域の各頂点を示すＸ，Ｙ座標）は予めサーバ２００の外部メモリに記憶されているものとする。
【００９９】
当該資料アイコンが当該ユーザアイコンの横に存在する領域Ｘ（所定の領域Ｘ）にある場合（ステップＳ６１６でＹＥＳ）、資料アイコンの位置から直近のユーザアイコンのユーザを当該資料アイコンの資料の閲覧・編集権限を付与するユーザとして特定する（ステップＳ６１７／いずれのユーザにいずれの権限を付与するか決定する／資料権限決定手段の１つ）。
【０１００】
例えば「共有．ｘｌｓｘ」の資料アイコン１０１１がユーザＢから直近の領域Ｘ上にある場合、会議資料情報７４０中の「共有．ｘｌｓｘ」の閲覧可能ユーザ７４４、編集可能ユーザ７４５に、ユーザＢのユーザＩＤを挿入して記憶する処理を行う。そして処理をステップＳ６１８に移行する。
【０１０１】
ドラッグ中の資料アイコンがユーザアイコンの横に存在する領域Ｘ（所定の領域Ｘ）にない場合（ステップＳ６１６でＮＯ）、資料アイコンが、ユーザアイコンの上側の領域Ｙにあるか判定する（ステップＳ６２０）。ここでいう領域Ｙとは、図１４における１４０１〜１４０２の領域のことである。当該所定の領域Ｙを示すＸ，Ｙ座標（領域の各頂点を示すＸ，Ｙ座標）は予めサーバ２００の外部メモリに記憶されているものとする。
【０１０２】
当該資料アイコンが当該ユーザアイコンの上側に存在する領域Ｙ（所定の領域Ｙ）にない場合（ステップＳ６２０でＮＯ）、処理をステップＳ６０１の前に戻す。当該資料アイコンが当該ユーザアイコンの上側に存在する領域Ｙ（所定の領域Ｙ）にある場合（ステップＳ６２０でＹＥＳ）、資料アイコンの中心点から直近のユーザアイコンの中心点を通る直線を特定し（ステップＳ６２１）、当該直線状にあるユーザアイコンのユーザを、当該資料アイコンの資料を閲覧する閲覧権限を付与するユーザとして特定する（ステップＳ６２２／いずれのユーザにいずれの権限を付与するか決定する／資料権限決定手段の１つ）。
【０１０３】
例えば「共有．ｘｌｓｘ」の資料アイコンがユーザＧから直近の領域Ｙ（１４０２）上にある場合、会議資料情報７４０中の「共有．ｘｌｓｘ」の閲覧可能ユーザ７４４に、ユーザＥ，Ｆ，ＧのユーザＩＤを挿入して記憶する処理を行う。そして処理をステップＳ６１８に移行する。
【０１０４】
ステップＳ６１０において、サーバ２００のＣＰＵ２０１は、会議に設定中の会議パターン（パターンＩＤ７２２）を参照して、設定中の会議パターンがパターン２（ディスカッション形式）か判定する（ステップＳ６１０）。パターン２（ディスカッション形式）でない場合（ステップＳ６１０でＮＯ）、処理をステップＳ６０１に戻す。パターン２（ディスカッション形式）である場合（ステップＳ６１０でＹＥＳ）、処理をステップＳ６１１に移行し、ユーザアイコン同士を結ぶ線から形成される最大の多角形（例えば図１０のアイコン配置画面１０００の場合は六角形（形状１００１））を特定する（ステップＳ６１１）。
【０１０５】
サーバ２００のＣＰＵ２０１は、ドラッグ中の資料アイコンが当該多角形の内側（領域Ｚ）にあるか判定する（ステップＳ６１２）。つまり、ドラッグ中の資料アイコンが、例えば図１０の１０１０でいう資料アイコン１０１１の位置にあるか判定する。資料アイコンが当該多角形の内側にない場合は（ステップＳ６１２でＮＯ）処理をステップＳ６０１に移行する。
【０１０６】
資料アイコンが当該多角形の内側にある場合は（ステップＳ６１２でＹＥＳ）、多角形を形成する各ユーザアイコンのユーザを、当該資料アイコンの資料アイコンを閲覧・編集する閲覧・編集権限を付与するユーザとして特定する（ステップＳ６１３／いずれのユーザにいずれの権限を付与するか決定する／資料権限決定手段の１つ）。
【０１０７】
例えば「共有．ｘｌｓｘ」の資料アイコンがユーザＧから直近の領域Ｚ（１４０９）上にある場合、会議資料情報７４０中の「共有．ｘｌｓｘ」の閲覧可能ユーザ７４４及び編集可能ユーザ７４５に、ユーザＡ〜ＦのユーザＩＤを挿入して記憶する処理を行う。そして処理をステップＳ６１８に移行する。
【０１０８】
ステップＳ６１８において、サーバ２００のＣＰＵ２０１は、クライアント端末１００に対して、ステップＳ６０７、Ｓ６０８、Ｓ６１３、Ｓ６１７、Ｓ６２２で資料の閲覧又は編集の権限の付与先として特定されたユーザのユーザアイコンを識別表示するよう指示する（ステップＳ６１８）。そして処理をステップＳ６１９に移行する。
【０１０９】
ここでは、閲覧・編集権限を付与するユーザのユーザアイコンを赤色にし、閲覧権限のみを付与するユーザのユーザアイコンを黄色にして識別表示するよう指示するものとする。
【０１１０】
クライアント端末１００のＣＰＵ２０１は当該識別表示の指示を受信し、当該指示に従って、ユーザアイコンを識別表示する（ステップＳ６１４）。
【０１１１】
ステップＳ６１９において、サーバ２００のＣＰＵ２０１は、ドラッグ中の資料アイコンがドロップ（配置）されたか判定する（ステップＳ６１９）。ドラッグ中の資料アイコンがドロップ（配置）されていない場合（ステップＳ６１９でＮＯ）、処理をステップＳ６０１に戻す。
【０１１２】
ドラッグ中の資料アイコンがドロップ（配置）された場合（ステップＳ６１９でＹＥＳ）、図６の処理を終了し、図５のステップＳ５０１に処理を戻す。資料位置７４２には、ドロップがされ時点での資料アイコンの位置が記憶され、保持されることになる。以上が図６の説明である。
【０１１３】
以上、本発明の図６の処理によれば、アイコンの配置関係に応じて、会議における資料の共有方法を決定する仕組みを提供するという第２の目的を達成することができる。
【０１１４】
図４の説明に戻る。ステップＳ４０４において、クライアント端末１００のＣＰＵ２０１は、ユーザから、会議参加者として指定（アイコン配置領域に配置）されたユーザの招集の操作を受け付ける（ステップＳ４０４）。例えば、「参加依頼」ボタン９２３の押下指示を受け付けると、クライアント端末１００のＣＰＵ２０１は、会議参加者として指定（アイコン配置領域に配置）されたユーザの招集要求（会議の参加要求）をサーバ２００に送信する（ステップＳ４０５）。
【０１１５】
サーバ２００のＣＰＵ２０１は、当該招集要求を受け付け（ステップＳ４０６）、招集要求の対象ユーザのクライアント端末１００のＩＤ（クライアントＩＤ）を参照し、各ユーザのクライアント端末１００に招集の通知を送信する（参加要求を送信する／ステップＳ４０７）。
【０１１６】
クライアント端末１００のＣＰＵ２０１は当該通知を受信すると（ステップＳ４０８）、図１２のような出欠情報入力画面１２００を表示画面に表示して、出欠情報の入力を受け付ける（ステップＳ４０９）。例えば、「今すぐ参加」「遅れて参加」「欠席」の押下指示（選択指示）を受け付ける。そして、図１２の「決定」ボタンの押下を受け付けることで、選択中の、「今すぐ参加」「遅れて参加」「欠席」のいずれかを示す値を出欠情報としてサーバ２００に送信する（ステップＳ４１０）。
【０１１７】
サーバ２００のＣＰＵ２０１は、当該出欠情報を受信して、外部メモリ上の不図示のテーブルに、それぞれの回答を行ったユーザのユーザＩＤと対応付けて記憶する（ステップＳ４１１）。「今すぐ参加」のユーザ数を特定し（ステップＳ４１２）、「今すぐ参加」可能なユーザ数が所定数以上か判定する（ステップＳ４１３）。所定数の値は予めサーバ２００の外部メモリに記憶されているものとする。
【０１１８】
「今すぐ参加」可能なユーザ数が所定数以上でない場合（ステップＳ４１３でＮＯ）、処理をステップＳ４３の前に戻す。「今すぐ参加」可能なユーザ数が所定数以上である場合（ステップＳ４１３でＹＥＳ）、会議開始指示部の表示指示を「今すぐ参加」可能なユーザのクライアント端末１００に送信する（ステップＳ４１４）。
【０１１９】
会議開始指示部とは、例えば、図１０の１０２０の「ドアノブ」ボタン１０２１である。「ドアノブ」ボタンは、会議を開始するためのボタンである。
【０１２０】
クライアント端末１００のＣＰＵ２０１は、会議開始指示部の表示指示を受け付けて（ステップＳ４１５）、会議開始指示部を表示画面に表示する（ステップＳ４１６）。そして、会議開始の操作（「ドアノブ」ボタン１０２１の押下）を受け付けると、会議の開始指示をサーバ２００に送信する（ステップＳ４１７）。
【０１２１】
サーバ２００のＣＰＵ２０１は、当該会議の開始指示を受け付け（ステップＳ４１８）、会議に参加可能な各クライアント端末１００から会議画像（例：各クライアント端末１００で撮像されるユーザの画像）の収集を行う（ステップＳ４１９）。具体的には、「今すぐ参加」可能なユーザのクライアント端末１００に対して会議画像の要求を行い、各クライアント端末１００から会議画像を受信する。また、開始された会議の会議パターン、及び会議資料情報７４０の情報を受信する。
【０１２２】
サーバ２００のＣＰＵ２０１は、収集した会議画像を同じ会議に参加中の各ユーザのクライアント端末１００に送信し（ステップＳ４２０）、クライアント端末１００のＣＰＵ２０１がこれを受信して（ステップＳ４２１）、図１３に示す会議画面１３００を生成して表示画面に表示する。
【０１２３】
図１３は、本発明の実施形態における、会議画面の構成の一例を示す図である。会議画像表示部１３０１〜１３０５には、開始された会議に参加中のユーザ（クライアント端末１００）の会議画像が表示される。
【０１２４】
クライアント端末１００のＣＰＵ２０１は、会議パターン１３０６表示部に、開催中の会議の会議パターン（会議開始時点での設定中パターン７２０におけるパターンＩＤ７２２の示すパターン）が表示する。
【０１２５】
資料アイコン１３０７は、図１３では、ユーザＪのみが閲覧又は閲覧・編集可能な資料のアイコンである。全員共有資料表示部１３０８には、会議に参加しているユーザ全員が閲覧可能、又は編集が可能な資料を表示される。
【０１２６】
クライアント端末１００のＣＰＵ２０１は、閲覧可能ユーザ７４４、編集可能ユーザ７４５の情報に基づいて、会議に参加中の全てのユーザが閲覧又は編集が可能な資料の資料アイコンを全員共有資料表示部１３０８に配置して画面を生成し、特定のユーザしか閲覧できない資料、または特定のユーザしか閲覧及び編集ができない資料の資料アイコンを、当該閲覧、編集の権限が与えられたユーザの会議画像表示部上に配置して画面を生成する。以上が図１３、及び図４の説明である。
【０１２７】
尚、上述した本発明の実施形態においては、アイコン配置領域にアイコンが配置される前は、例えば図８の８０２のように、アイコン配置領域には何も表示されていないものとして説明したが、例えば図１５の１５００〜１５２０に示すように、各会議パターンのユーザアイコンの配置位置を定時するようなアイコン配置画面を表示するようにしてもよい。
【０１２８】
図１５においては、アイコン配置領域に対するスワイプ操作を受け付けることで、アイコン配置画面１５００〜１５２０に示すように、アイコン配置領域の表示を切り替えることができるものとする。尚、当該アイコン配置画面１５００〜１５２０の生成、切り替えは、クライアント端末１００のＣＰＵ２０１が行うものとする。
【０１２９】
また、上述した本発明の実施形態においては、クライアント端末１００及びサーバ２００をウェブ会議用の端末として説明したが、ユーザに権限を設定可能な会議であれば、例えば、ＴＶ会議（テレビ会議）等ウェブ会議以外の会議であってもよい。
【０１３０】
以上説明したように、本発明によれば、アイコンの配置関係に応じて、会議におけるユーザの権限を決定する仕組みを提供するという第１の目的を達成することができる。
【０１３１】
また、本発明によれば、アイコンの配置関係に応じて、会議における資料の共有方法を決定する仕組みを提供するという第２の目的を達成することができる。
【０１３２】
尚、本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１３３】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１３４】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１３５】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１３６】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１３７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１３８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１３９】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１４０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１４１】
尚、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１４２】
１００Ａ  クライアント端末
１００Ｂ  クライアント端末
１００Ｃ  クライアント端末
１０１    ＬＡＮ
２００    サーバ
【図１】
2016066253.tif 000003
【図２】
2016066253.tif 000004
【図３】
2016066253.tif 000005
【図４】
2016066253.tif 000006
【図５】
2016066253.tif 000007
【図６】
2016066253.tif 000008
【図７】
2016066253.tif 000009
【図８】
2016066253.tif 000010
【図９】
2016066253.tif 000011
【図１０】
2016066253.tif 000012
【図１１】
2016066253.tif 000013
【図１２】
2016066253.tif 000014
【図１３】
2016066253.tif 000015
【図１４】
2016066253.tif 000016
【図１５】
2016066253.tif 000017